(57)【要約】【課題】  ランプ交換を迅速容易に行なうこと。【解決手段】  ランプドア９が、ドア本体９ａと、該ドア本体９ａの前縁から立ち上がる前板９ｂと、そのドア本体９ａの一側縁から立ち上がる側板９ｃとにより形成され、取出口４の角部４ａ，４ｂに係脱可能な一対の係合片１１がドア本体９ａの他側縁に一体突設され、ランプドア９の側板９ｃに一対の突起部１２，１３が一体突設されると共に、該各突起部１２，１３に対向してケーシング１の側板１ｂに嵌入孔１４，１５が貫設され、その一方の突起部１３の先端に嵌入孔１５の周縁部に係脱可能なフック１６が一体形成されており、ランプドア９を矢印ａ方向にスライドさせることにより、係合片１１を角部４ａ，４ｂに係合させると共に、各突起部１２，１３を各嵌入孔１４，１５に嵌入させ、フック１６を嵌入孔１５の周縁部に係合させて取出口４を閉鎖する。【選択図】        図２
2008292527.tif 000002
【特許請求の範囲】
【請求項１】
合成樹脂製ケーシング内の前部にランプボックスと該ランプボックスから投射した光線
を受けて投影レンズから映像を投影するための光学エンジンとが配置され、前記ランプボ
ックスを取り出すための取出口がケーシングの底板に開設され、該取出口に合成樹脂製ラ
ンプドアが着脱可能に設けられたプロジェクタにおいて、前記ケーシングの底面の取出口
の周辺から該ケーシングの前面及び側面にかけてランプドアを嵌め込むための凹溝が形成
され、前記ランプドアが、凹溝の底面部に対向するドア本体と、該凹溝の前面部に対向し
てドア本体の前縁から立ち上がる前板と、その凹溝の側面部に対向してドア本体の一側縁
から立ち上がる側板とにより、縦断面及び横断面が略Ｌ字状に形成されて、そのランプド
アが前記凹溝内に嵌め込み可能に形成され、前記取出口の側縁に係脱可能な係合片が前記
ドア本体の他側縁に一体突設され、前記ランプドアの側板に所定間隔をおいて一対の突起
部が一体突設されると共に、該各突起部に対向してケーシングの側板に嵌入孔が貫設され
、その両突起部の少なくともその一方が弾性変位可能に形成されてその先端に嵌入孔の周
縁部に係脱可能なフックが一体形成されており、前記係合片を取出口内に差し込み、ラン
プドアをケーシングの底面に沿ってスライドさせることにより、係合片を取出口の側縁に
係合させると共に、各突起部を各嵌入孔に嵌入させ、フックを嵌入孔の周縁部に係合させ
ることにより、ランプドアを凹溝に嵌め込んで取出口を閉鎖するようにしたことを特徴と
するプロジェクタ。
【請求項２】
前記ドア本体にランプドアのスライド方向に沿って一対の突条が所定間隔をおいて平行
に一体突設され、該両突条を挟んでその各突条に係合することによりランプドアをスライ
ド方向にのみ移動可能にガイドする一対のガイド面がケーシングに形成されており、前記
係合片を取出口内に差し込み、各突条をガイド面に係合させ、そのガイド面に沿ってラン
プドアをスライドさせることにより、係合片を取出口の側縁に係合させると共に、各突起
部を各嵌入孔に嵌入させ、フックを嵌入孔の周縁部に係合させることにより、ランプドア
を凹溝に嵌め込んで取出口を閉鎖するようにしたことを特徴とする請求項１に記載のプロ
ジェクタ。
【請求項３】
前記取出口の前縁がランプドアのスライド方向と平行するガイド面とされ、そのガイド
面にスライド可能に係合するガイド枠が前記ドア本体に一体突設されており、そのガイド
枠及び係合片を取出口内に差し込み、各突条及びガイド枠をガイド面に係合させ、そのガ
イド面に沿ってランプドアをスライドさせることにより、係合片を取出口の側縁に係合さ
せると共に、各突起部を各嵌入孔に嵌入させ、フックを嵌入孔の周縁部に係合させること
により、ランプドアを凹溝に嵌め込んで取出口を閉鎖するようにしたことを特徴とする請
求項２に記載のプロジェクタ。
【請求項４】
合成樹脂製ケーシング内の前部にランプボックスと該ランプボックスから投射した光線
を受けて投影レンズから映像を投影するための光学エンジンとが配置され、前記ランプボ
ックスを取り出すための取出口がケーシングの底板に開設され、該取出口に合成樹脂製ラ
ンプドアが着脱可能に設けられたプロジェクタにおいて、前記ケーシングの底面の取出口
の周辺から該ケーシングの前面及び側面にかけてランプドアを嵌め込むための凹溝が形成
され、前記ランプドアが、凹溝の底面部に対向するドア本体と、該凹溝の前面部に対向し
てドア本体の前縁から立ち上がる前板と、その凹溝の側面部に対向してドア本体の一側縁
から立ち上がる側板とにより、縦断面及び横断面が略Ｌ字状に形成されて、そのランプド
アが前記凹溝内に嵌め込み可能に形成され、前記取出口の側縁に係脱可能な係合片が前記
ドア本体の他側縁に一体突設され、前記ランプドアの側板に所定間隔をおいて一対の突起
部が一体突設されると共に、該各突起部に対向してケーシングの側板に嵌入孔が貫設され
、その両突起部の少なくともその一方が弾性変位可能に形成されてその先端に嵌入孔の周
縁部に係脱可能なフックが一体形成され、前記ドア本体にランプドアのスライド方向に沿
って一対の突条が所定間隔をおいて平行に一体突設され、該両突条を挟んでその各突条に
係合することによりランプドアをスライド方向にのみ移動可能にガイドする一対のガイド
面がケーシングに形成され、前記取出口の前縁がランプドアのスライド方向と平行するガ
イド面とされ、そのガイド面にスライド可能に係合するガイド枠が前記ドア本体に一体突
設されており、そのガイド枠及び係合片を取出口内に差し込み、各突条及びガイド枠をガ
イド面に係合させ、そのガイド面に沿ってランプドアをスライドさせることにより、係合
片を取出口の側縁に係合させると共に、各突起部を各嵌入孔に嵌入させ、フックを嵌入孔
の周縁部に係合させることにより、ランプドアを凹溝に嵌め込んで取出口を閉鎖するよう
にしたことを特徴とするプロジェクタ。
【発明の詳細な説明】
【技術分野】
【０００１】
本発明は、例えばテレビ映像をスクリーンに映写するためのプロジェクタに関し、特に
、ランプ交換を迅速容易に行なうことができるようにしたものである。
【背景技術】
【０００２】
従来、プロジェクタの技術として特許文献１に記載したものがある。これは、図８（ａ
）の斜視図及び図８（ｂ）に示す同要部の斜視図に示すように、合成樹脂製ケーシング１
内の前部にランプボックス２と該ランプボックス２から投射した光線を受けて投影レンズ
３ａから映像を投影するための光学エンジン３とが配置され、前記ランプボックス２を取
り出すための取出口４がケーシング１の底板１ａに開設され、該取出口４に合成樹脂製ラ
ンプドア５がビス６により止着されている。
【０００３】
ランプ交換手順を説明すると、図８（ｂ）に示すように、ドライバー７でビス６のねじ
込みを解除し、ランプドア５を取出口４から取り外し、該取出口４からケーシング１内の
ランプボックス２を取り出した後、そのランプボックス２内のランプを交換し、その新た
なランプを装着したランプボックス２をケーシング１内に挿入して固定し、取出口４にラ
ンプドア５をビス６で止着する。
【特許文献１】特開２００６−１６５０５３号公報
【発明の開示】
【発明が解決しようとする課題】
【０００４】
上記従来の構成では、ビス６によりランプドア５を止着しており、そのビス６をドライ
バー７で着脱して取出口４を開閉するのに手間と時間とがかかるから、ランプ交換が面倒
である。
【０００５】
本発明は、上記従来の欠点に鑑み、ランプ交換を迅速容易に行なうことができるように
したプロジェクタを提供することを目的としている。
【課題を解決するための手段】
【０００６】
上記目的を達成するため、請求項１に記載の発明は、合成樹脂製ケーシング内の前部に
ランプボックスと該ランプボックスから投射した光線を受けて投影レンズから映像を投影
するための光学エンジンとが配置され、前記ランプボックスを取り出すための取出口がケ
ーシングの底板に開設され、該取出口に合成樹脂製ランプドアが着脱可能に設けられたプ
ロジェクタにおいて、前記ケーシングの底面の取出口の周辺から該ケーシングの前面及び
側面にかけてランプドアを嵌め込むための凹溝が形成され、前記ランプドアが、凹溝の底
面部に対向するドア本体と、該凹溝の前面部に対向してドア本体の前縁から立ち上がる前
板と、その凹溝の側面部に対向してドア本体の一側縁から立ち上がる側板とにより、縦断
面及び横断面が略Ｌ字状に形成されて、そのランプドアが前記凹溝内に嵌め込み可能に形
成され、前記取出口の側縁に係脱可能な係合片が前記ドア本体の他側縁に一体突設され、
前記ランプドアの側板に所定間隔をおいて一対の突起部が一体突設されると共に、該各突
起部に対向してケーシングの側板に嵌入孔が貫設され、その両突起部の少なくともその一
方が弾性変位可能に形成されてその先端に嵌入孔の周縁部に係脱可能なフックが一体形成
されており、前記係合片を取出口内に差し込み、ランプドアをケーシングの底面に沿って
スライドさせることにより、係合片を取出口の側縁に係合させると共に、各突起部を各嵌
入孔に嵌入させ、フックを嵌入孔の周縁部に係合させることにより、ランプドアを凹溝に
嵌め込んで取出口を閉鎖するようにしたことを特徴としている。
【０００７】
請求項２に記載の発明は、請求項１に記載の発明において、前記ドア本体にランプドア
のスライド方向に沿って一対の突条が所定間隔をおいて平行に一体突設され、該両突条を
挟んでその各突条に係合することによりランプドアをスライド方向にのみ移動可能にガイ
ドする一対のガイド面がケーシングに形成されており、前記係合片を取出口内に差し込み
、各突条をガイド面に係合させ、そのガイド面に沿ってランプドアをスライドさせること
により、係合片を取出口の側縁に係合させると共に、各突起部を各嵌入孔に嵌入させ、フ
ックを嵌入孔の周縁部に係合させることにより、ランプドアを凹溝に嵌め込んで取出口を
閉鎖するようにしたことを特徴としている。
【０００８】
請求項３に記載の発明は、請求項２に記載の発明において、前記取出口の前縁がランプ
ドアのスライド方向と平行するガイド面とされ、そのガイド面にスライド可能に係合する
ガイド枠が前記ドア本体に一体突設されており、そのガイド枠及び係合片を取出口内に差
し込み、各突条及びガイド枠をガイド面に係合させ、そのガイド面に沿ってランプドアを
スライドさせることにより、係合片を取出口の側縁に係合させると共に、各突起部を各嵌
入孔に嵌入させ、フックを嵌入孔の周縁部に係合させることにより、ランプドアを凹溝に
嵌め込んで取出口を閉鎖するようにしたことを特徴としている。
【０００９】
請求項４に記載の発明は、合成樹脂製ケーシング内の前部にランプボックスと該ランプ
ボックスから投射した光線を受けて投影レンズから映像を投影するための光学エンジンと
が配置され、前記ランプボックスを取り出すための取出口がケーシングの底板に開設され
、該取出口に合成樹脂製ランプドアが着脱可能に設けられたプロジェクタにおいて、前記
ケーシングの底面の取出口の周辺から該ケーシングの前面及び側面にかけてランプドアを
嵌め込むための凹溝が形成され、前記ランプドアが、凹溝の底面部に対向するドア本体と
、該凹溝の前面部に対向してドア本体の前縁から立ち上がる前板と、その凹溝の側面部に
対向してドア本体の一側縁から立ち上がる側板とにより、縦断面及び横断面が略Ｌ字状に
形成されて、そのランプドアが前記凹溝内に嵌め込み可能に形成され、前記取出口の側縁
に係脱可能な係合片が前記ドア本体の他側縁に一体突設され、前記ランプドアの側板に所
定間隔をおいて一対の突起部が一体突設されると共に、該各突起部に対向してケーシング
の側板に嵌入孔が貫設され、その両突起部の少なくともその一方が弾性変位可能に形成さ
れてその先端に嵌入孔の周縁部に係脱可能なフックが一体形成され、前記ドア本体にラン
プドアのスライド方向に沿って一対の突条が所定間隔をおいて平行に一体突設され、該両
突条を挟んでその各突条に係合することによりランプドアをスライド方向にのみ移動可能
にガイドする一対のガイド面がケーシングに形成され、前記取出口の前縁がランプドアの
スライド方向と平行するガイド面とされ、そのガイド面にスライド可能に係合するガイド
枠が前記ドア本体に一体突設されており、そのガイド枠及び係合片を取出口内に差し込み
、各突条及びガイド枠をガイド面に係合させ、そのガイド面に沿ってランプドアをスライ
ドさせることにより、係合片を取出口の側縁に係合させると共に、各突起部を各嵌入孔に
嵌入させ、フックを嵌入孔の周縁部に係合させることにより、ランプドアを凹溝に嵌め込
んで取出口を閉鎖するようにしたことを特徴としている。
【発明の効果】
【００１０】
請求項１に記載の発明によれば、係止片及び一対の突起部とフックとによりランプドア
がケーシングに係止されているから、該ランプドアをケーシングの底面に沿ってスライド
させるだけで、その係止を解除して取出口を開放し、逆の操作によりランプドアを凹溝内
に嵌め込んで取出口を閉鎖し、その取出口を通ってランプ交換作業を迅速容易に行うこと
ができ、従来のランプドア止着用ビスを省略してコストダウンを図ることができると共に
、そのビスの面倒な着脱操作が不要であり、使い勝手がよい。
【００１１】
請求項２に記載の発明によれば、ランプドアをケーシングに取り付ける際に、該ランプ
ドアが両突条を介してケーシングのガイド面に沿って直線的にスライドされるから、係合
片の取出口の側縁に対する係合、各突起部の各嵌入孔に対する嵌入及びフックの嵌入孔の
周縁部に対する係合をそれぞれ円滑に行わせることができる。
【００１２】
請求項３に記載の発明によれば、ランプドアに突設したガイド枠が取出口の前縁に形成
したガイド面にスライド可能に係合されているから、そのガイド面に沿ってランプドアを
一層確実に直線的にスライドさせることができる。
【００１３】
請求項４に記載の発明は実施の一形態（図１〜図７参照）に対応するものであって、こ
れによれば、係止片及び一対の突起部とフックとによりランプドアがケーシングに係止さ
れているから、該ランプドアをケーシングの底面に沿ってスライドさせるだけで、その係
止を解除して取出口を開放し、逆の操作によりランプドアを凹溝内に嵌め込んで取出口を
閉鎖し、その取出口を通ってランプ交換作業を迅速容易に行うことができ、従来のランプ
ドア止着用ビスを省略してコストダウンを図ることができると共に、そのビスの面倒な着
脱操作が不要であり、使い勝手がよい。
【００１４】
また、ランプドアをケーシングに取り付ける際に、該ランプドアが両突条を介してケー
シングのガイド面に沿って直線的にスライドされるから、係合片の取出口の側縁に対する
係合、各突起部の各嵌入孔に対する嵌入及びフックの嵌入孔の周縁部に対する係合をそれ
ぞれ円滑に行わせることができる。
【００１５】
更に、ランプドアに突設したガイド枠が取出口の前縁に形成したガイド面にスライド可
能に係合されているから、そのガイド面に沿ってランプドアを一層確実に直線的にスライ
ドさせることができる。
【発明を実施するための最良の形態】
【００１６】
図１〜図７は本発明の実施の一形態であるプロジェクタを示すものであって、図１は同
斜視図、図２は同要部の平面図、図３（ａ）は図２のＡ−Ａ矢視図、図３（ｂ）は図２の
Ｂ−Ｂ矢視図、図４は図２のＣ−Ｃ矢視図、図５は同要部の分解平面図、図６は同要部の
分解斜視図、図７は同ランプドア取付手順を示す要部の平面図である。
【００１７】
図１〜図６に示すように、ケーシング１の底面の取出口４の周辺から該ケーシング１の
前面及び側面にかけて合成樹脂製ランプドア９を嵌め込むための凹溝１０が形成され、前
記ランプドア９が、凹溝１０の底面部に対向するドア本体９ａと、該凹溝１０の前面部に
対向してドア本体９ａの前縁から立ち上がる前板９ｂと、その凹溝１０の側面部に対向し
てドア本体９ａの一側縁から立ち上がる側板９ｃとにより、図３及び図４に示すように、
縦断面及び横断面が略Ｌ字状に形成されて、そのランプドア９が前記凹溝１０内に嵌め込
み可能に形成されている。
【００１８】
図２、図３及び図５に示すように、前記取出口４の側縁に２つの角部４ａ，４ｂが形成
され、該各角部４ａ，４ｂに対向してドア本体９ａの他側縁に一体突設した複数のＬ字枠
１１ａとその複数のＬ字枠１１ａに一体形成されて角部４ａ，４ｂの厚さ分と同一または
わずかに大きい間隔をおいてドア本体９ａに対して平行する水平板１１ｂとからなる一対
の係合片１１が設けられている。
【００１９】
図２、図３及び図５に示すように、ランプドア９の側板９ｃに所定間隔をおいて一対の
突起部１２，１３が一体突設されると共に、該各突起部１２，１３に対向してケーシング
１の側板１ｂに嵌入孔１４，１５が貫設され、その両突起部１２，１３の少なくともその
一方（この実施の形態では突起部１３）が弾性変位可能に形成されてその先端に嵌入孔１
５の周縁部１５ａに係脱可能なフック１６が一体形成されている。
【００２０】
図２及び図４に示すように、ドア本体９ａにランプドア９のスライド方向ａ，ｂに沿っ
て一対の突条１８が所定間隔をおいて平行に一体突設され、該両突条１８を挟んでその各
突条１８に係合することによりランプドア９をスライド方向ａ，ｂにのみ移動可能にガイ
ドする一対のガイド面１９がケーシング１に形成され、取出口４の前縁がランプドア９の
スライド方向ａ，ｂと平行するガイド面２０とされ、そのガイド面２０にスライド可能に
係合するガイド枠２１が前記ドア本体９ａに一体突設されている。上記以外の構成は図８
に示す構成とほぼ同じであるから、同一部分に同一符号を付してその説明を省略する。
【００２１】
ランプ交換手順を説明すると、図２〜図４は取出口４の閉鎖状態を示すものであって、
各係合片１１の水平板１１ｂを取出口４の各角部４ａ，４ｂの上面に当接または接近させ
ることにより、その各係合片１１を各角部４ａ，４ｂに係合させると共に、各突起部１２
，１３を各嵌入孔１４，１５に嵌入させ、フック１６を嵌入孔１５の周縁部１５ａに係合
させており、これによって、ランプドア９を凹溝１０内に不測に外れないように嵌め込ん
で取出口４を閉鎖している。
【００２２】
その閉鎖状態から、ランプドア９を矢印ｂ方向に押してスライドさせることにより、各
係合片１１を取出口４の角部４ａ，４ｂから離脱させると共に、各突起部１２，１３を各
嵌入孔１４，１５から引き抜き、それとほぼ同時に、フック１６の周縁部１５ａに対する
係合を解除し、ランプドア９を凹溝１０から取り外して（図１仮想線参照）、取出口４を
開放する。
【００２３】
その開放状態の取出口４からケーシング１内のランプボックス２を取り出した後、該ラ
ンプボックス２内のランプを交換し、その新たなランプを装着したランプボックス２を取
出口４からケーシング１内に挿入して固定する。
【００２４】
続いて、図７に示すように、ランプドア９を把持して各係合片１１及びガイド枠２１を
取出口４内に差し込み、そのガイド枠２１をガイド面２０に係合させると共に、各突条１
８をガイド面１９に係合させ、ランプドア９を矢印ａ方向に押す。これにより、そのラン
プドア９がガイド面１９，２０に沿ってスライドされ、図２〜図４に示すように、各係合
片１１が取出口４の各角部４ａ，４ｂに係合されると共に、各突起部１２，１３が各嵌入
孔１４，１５に嵌入され、フック１６が嵌入孔１５の周縁部１５ａに係合されて、ランプ
ドア９が凹溝１０内に嵌め込まれ、取出口４が閉鎖される。
【００２５】
上記構成によれば、一対の係合片１１及び突起部１２，１３とフック１６とによりラン
プドア９がケーシング１に係止されているから、該ランプドア９をケーシング１の底面に
沿って矢印ｂ方向にスライドさせるだけで、その係止を解除して取出口４を開放し、逆の
操作によりランプドア９を凹溝１０内に嵌め込んで取出口４を閉鎖し、その取出口４を通
ってランプ交換作業を迅速容易に行うことができ、従来のランプドア止着用ビス６（図８
参照）を省略してコストダウンを図ることができると共に、そのビス６（図８参照）の面
倒な着脱操作が不要であり、使い勝手がよい。
【００２６】
また、ランプドア９をケーシング１に取り付ける際に、該ランプドア９が両突条１８を
介してケーシング１のガイド面１９に沿って直線的に矢印ａ，ｂ方向にスライドされるか
ら、係合片１１の角部４ａ，４ｂに対する係合、各突起部１２，１３の各嵌入孔１４，１
５に対する嵌入及びフック１６の嵌入孔１５の周縁部１５ａに対する係合をそれぞれ円滑
に行わせることができる。
【００２７】
更に、ランプドア９に突設したガイド枠２１が取出口のガイド面２０にスライド可能に
係合されているから、そのガイド面２０に沿ってランプドア９を一層確実に直線的に矢印
ａ，ｂ方向にスライドさせることができる。
【図面の簡単な説明】
【００２８】
【図１】本発明の実施の一形態であるプロジェクタを示す斜視図である。
【図２】同要部の平面図である。
【図３】（ａ）は図２のＡ−Ａ矢視図、（ｂ）は図２のＢ−Ｂ矢視図である。
【図４】図２のＣ−Ｃ矢視図である。
【図５】同要部の分解平面図である。
【図６】同要部の分解斜視図である。
【図７】同ランプドア取付手順を示す要部の平面図である。
【図８】（ａ）は従来例を示す斜視図、（ｂ）は同要部の斜視図である。
【符号の説明】
【００２９】
１          ケーシング
２          ランプボックス
３          光学エンジン
３ａ        投影レンズ
９          ランプドア
９ａ        ランプドアのドア本体
９ｂ        ランプドアの前板
９ｃ        ランプドアの側板
１０        凹溝
１１        係合片
１２，１３  突起部
１４，１５  嵌入孔
１５ａ      嵌入孔の周縁部
１６        フック
１８        突条
１９，２０  ガイド面
２１        ガイド枠
【図１】
2008292527.tif 000003
【図２】
2008292527.tif 000004
【図３】
2008292527.tif 000005
【図４】
2008292527.tif 000006
【図５】
2008292527.tif 000007
【図６】
2008292527.tif 000008
【図７】
2008292527.tif 000009
【図８】
2008292527.tif 000010